(57)【要約】【課題】複数の外壁面材を上下に並べて下地材で連結してなる外壁パネルに開口設備を効率的に組み込んでいくことに役立つスタータ部材、外壁および外壁の施工方法を提供する。【解決手段】外壁の施工方法は、開口設備４が未装着とされる外壁パネル５を地組架台上で組み立てるとともにスタータ部材５７を横胴縁５４に取り付ける工程と、上記開口設備４が未装着の外壁パネル５を屋外側から建物の躯体に取り付ける工程と、上記建物の躯体に取り付けられた上記外壁パネル５に屋内側から下地枠４１付きの開口設備４を取り付ける工程と、を含む。【選択図】図９
2020002668.tif 000002
【特許請求の範囲】
【請求項１】
複数の外壁面材からなる外壁パネルにおける開口設備用の開口に設けられる開口設備の下地枠の上方に位置する当該外壁パネルの横胴縁に取り付けられる取付部と、上記開口の上辺側に下端を位置させる外壁面材の当該下端に係合して面外方向の移動を規制する係合部と、上記開口に取り付けられた開口設備の上辺部と上記外壁面材の上記下端との間に形成される横目地に充填されるシール材の裏当てとなる裏当て部と、を備えることを特徴とするスタータ部材。
【請求項２】
請求項１に記載のスタータ部材において、上記取付部および上記係合部が形成された第１板部と、上記裏当て部が形成された第２板部とが接合されてなることを特徴とするスタータ部材。
【請求項３】
複数の外壁面材からなる外壁パネルにおける開口設備用の開口の上辺の近傍位置で外壁面材の下端に係合して面外方向の移動を規制するスタータ部材が、上記開口設備の下地枠の上方に位置する当該外壁パネルの横胴縁に取り付けられていることを特徴とする外壁。
【請求項４】
請求項３に記載の外壁において、上記スタータ部材は、上記開口に取り付けられた開口設備の下地枠の上辺部と上記外壁面材の上記下端との間に形成される横目地に位置する裏当て部を有しており、上記横目地に上記裏当て部を裏当てとしてシール材が充填されていることを特徴とする外壁。
【請求項５】
請求項３または請求項４に記載の外壁を施工する方法であって、上記開口に上記開口設備を取り付ける以前に、上記スタータ部材を上記横胴縁に取り付けることを特徴とする外壁の施工方法。
【請求項６】
請求項５に記載の外壁の施工方法において、外壁パネルが取り付けられる建物の躯体の取付箇所とは異なる場所に配置した地組架台上で、上記スタータ部材および上記開口設備を組み付けて外壁パネルを作製することを特徴とする外壁の施工方法。
【請求項７】
請求項５に記載の外壁の施工方法において、開口設備が未装着とされる外壁パネルを、当該外壁パネルが取り付けられる建物の躯体の取付箇所とは異なる場所に配置した地組架台上で組み立てるとともに上記スタータ部材を上記横胴縁に取り付ける工程と、上記開口設備が未装着の外壁パネルを屋外側から建物の躯体に取り付ける工程と、上記建物の躯体に取り付けられた上記外壁パネルに屋内側から開口設備を取り付ける工程と、を含むことを特徴とする外壁の施工方法。
【発明の詳細な説明】
【技術分野】
【０００１】
この発明は、複数の外壁面材を上下に並べて下地材で連結した外壁パネルの組み立てに用いるスタータ部材、上記外壁パネルからなる外壁および外壁の施工方法に関する。
【背景技術】
【０００２】
特許文献１には、大判化外壁パネルが開示されている。この大判化外壁パネルは、パネルフレームと、このパネルフレームに取付けられた上下に並ぶ複数枚の、断熱材を含む横長形状の外壁面材とを備える。また、上記パネルフレームは、左右の縦フレーム材および上下端の横フレーム材が矩形に組まれた外周フレーム部と、この外周フレーム部に互いに横幅方向に間隔を開けて配置されて上下端が上下の横フレーム材に接合された複数の縦胴縁とからなる。
【先行技術文献】
【特許文献】
【０００３】
【特許文献１】特開２０１６−１１３８３９号公報
【発明の概要】
【発明が解決しようとする課題】
【０００４】
ところで、複数の外壁面材を上下に並べて下地材で連結した外壁パネルを、当該外壁パネルが取り付けられる建物躯体の取付箇所とは異なる場所で組み立てるための地組架台を用いて作製するときに、アルミサッシ等の開口設備の下地枠を上記作製中の外壁パネルに組み込んで必要な直角出し等の調整を行い、その後に上記開口設備を上記下地枠に取り付けていくことが行われる。
【０００５】
ここで、図１５に示すように、従来においては、スタータ部材１０５７が用いられており、このスタータ部材１０５７は、サッシ１００４用の開口１０５０の上辺側に下端を位置させる外壁面材１０５１の当該下端に係合して面外方向の移動を規制するようになっている。
【０００６】
しかしながら、上記スタータ部材１０５７は、サッシ１００４における枠部１０４１に取り付けられるため、開口に組み込むサッシ１００４の位置を調節しようとすると、同時に上記スタータ部材１０５７の位置が変化する。このため、これらサッシ１００４およびスタータ部材１０５７の相互の位置調整に多くの時間が必要になり、サッシ１００４およびスタータ部材１０５７の組み込みが効率的に行えないという問題があった。
【０００７】
この発明は、上記の事情に鑑み、複数の外壁面材を上下に並べて下地材で連結してなる外壁パネルに開口設備を効率的に組み込んでいくことができるスタータ部材、外壁および外壁の施工方法を提供することを課題とする。
【課題を解決するための手段】
【０００８】
この発明のスタータ部材は、上記の課題を解決するために、複数の外壁面材からなる外壁パネルにおける開口設備用の開口に設けられる開口設備の下地枠の上方に位置する当該外壁パネルの横胴縁に取り付けられる取付部と、上記開口の上辺側に下端を位置させる外壁面材の当該下端に係合して面外方向の移動を規制する係合部と、上記開口に取り付けられた開口設備の上辺部と上記外壁面材の上記下端との間に形成される横目地に充填されるシール材の裏当てとなる裏当て部と、を備えることを特徴とする。
【０００９】
上記の構成であれば、複数の外壁面材を上下に並べて下地材で連結してなる外壁パネルに開口設備を組み込むことにおいて、上記開口設備とは別に上記スタータ部材単独で横胴縁に取り付けることができる。これにより、上記開口設備の取り付けに際してその位置調節を単独で行うことができる。
【００１０】
上記取付部および上記係合部が形成された第１板部と、上記裏当て部が形成された第２板部とが接合されていてもよい。これによれば、スタータ部材を効率的に作製することができる。
【００１１】
また、この発明の外壁は、複数の外壁面材からなる外壁パネルにおける開口設備用の開口の上辺の近傍位置で外壁面材の下端に係合して面外方向の移動を規制するスタータ部材が、上記開口設備の下地枠の上方に位置する当該外壁パネルの横胴縁に取り付けられていることを特徴とする。
【００１２】
上記の構成であれば、複数の外壁面材を上下に並べて下地材で連結してなる外壁パネルに開口設備を組み込むことにおいて、上記開口設備とは別に上記スタータ部材単独で横胴縁に取り付けることができる。これにより、上記開口設備の取り付けに際してその位置調節を単独で行うことができる。
【００１３】
上記の外壁において、上記スタータ部材は、上記開口に取り付けられた開口設備の下地枠の上辺部と上記外壁面材の上記下端との間に形成される横目地に位置する裏当て部を有しており、上記横目地に上記裏当て部を裏当てとしてシール材が充填されていてもよい。
【００１４】
また、この発明にかかる上記の外壁を施工する方法は、上記開口に上記開口設備を取り付ける以前に、上記スタータ部材を上記横胴縁に取り付けることを特徴とする。
【００１５】
上記の方法であれば、上記開口設備とは別に上記スタータ部材単独で横胴縁に取り付けることができる。これにより、上記開口設備の取り付けに際してその位置調節を単独で行うことができる。
【００１６】
上記外壁の施工方法において、外壁パネルが取り付けられる建物の躯体の取付箇所とは異なる場所に配置した地組架台上で、上記スタータ部材および上記開口設備を組み付けて外壁パネルを作製するようにしてもよい。
【００１７】
或いは、上記外壁の施工方法において、開口設備が未装着とされる外壁パネルを、当該外壁パネルが取り付けられる建物の躯体の取付箇所とは異なる場所に配置した地組架台上で組み立てるとともに上記スタータ部材を上記横胴縁に取り付ける工程と、上記開口設備が未装着の外壁パネルを屋外側から建物の躯体に取り付ける工程と、上記建物の躯体に取り付けられた上記外壁パネルに屋内側から開口設備を取り付ける工程と、を含むこととしてもよい。これによれば、地組架台上で外壁パネルに開口設備を取り付ける作業が不要になり、地組架台上での外壁パネルの作製の占有時間を短くできるので、地組架台の使用効率が向上し、外壁施工の時間短縮を図ることができる。
【発明の効果】
【００１８】
本発明であれば、複数の外壁面材を上下に並べて下地材で連結してなる外壁パネルに開口設備を効率的に組み込むことができるという効果を奏する。
【図面の簡単な説明】
【００１９】
【図１】外壁パネルの構造例を示した概略の斜視図である。
【図２】同図（Ａ）は図１の外壁パネルにおける外壁面材の上部および下部を示した断面図であり、同図（Ｂ）は図１の上下に並ぶ外壁面材の嵌め込み箇所の断面図である。
【図３】外壁パネルの地組架台を実線で示し、外壁パネルを仮想線で示した説明図である。
【図４】この発明の実施形態を示す図であって、複数の外壁面材が上下に並べられて下地材で連結され且つスタータ部材が取り付けられる一方で開口設備（二点鎖線で示す）は未装着とされる外壁パネルの一例を示した説明図である。
【図５】この発明の実施形態を示す図であって、建物の躯体に固定された開口設備未装着の外壁パネルに開口設備を取り付ける工程を示した説明図である。
【図６】図４の開口設備の箇所を拡大して示す図であって、同図（Ａ）は背面図、を同図（Ｂ）は横断面図、同図（Ｃ）は縦断面図である。
【図７】図６の一部を拡大して示した概略の拡大図である。
【図８】この発明の他の実施形態を示す図であって、建物の躯体に固定された開口設備未装着の外壁パネルに開口設備を取り付ける工程を示した説明図である。
【図９】図８の実施形態に対応する図であって、同図（Ａ）は、建物の躯体に固定された開口設備未装着の外壁パネルに開口設備を取り付ける様子を示した概略の縦断面図であり、同図（Ｂ）は取り付けた状態を示した概略の縦断面図である。
【図１０】図８の実施形態に対応する図であって、同図（Ａ）は、建物の躯体に固定された開口設備未装着の外壁パネルに開口設備を取り付ける様子を示した概略の横断面図であり、同図（Ｂ）は取り付けた状態を示した概略の横断面図である。
【図１１】この発明の他の実施形態を示す図であって、建物の躯体に固定された開口設備未装着の外壁パネルに開口設備を取り付ける工程を示した説明図である。
【図１２】この発明の実施形態におけるスタータ部材を示した斜視図である。
【図１３】この発明の他の実施形態のスタータ部材を示した側面図である。
【図１４】図１２のスタータ部材に外壁面材の下端を差し込む様子を示した説明図である。
【図１５】従来技術を示した説明図である。
【発明を実施するための形態】
【００２０】
以下、この発明の実施の形態を添付図面に基づいて説明する。
図１に示すように、外壁パネル５００（５）は、例えば、複数の横長の外壁面材５１を上下に並べて下地材５２で相互に連結された構造を有する。図１に示す例では、上記下地材５２として、縦胴縁５２ａを備えている。
【００２１】
上記外壁面材５１は、例えば、図２（Ａ）および図２（Ｂ）に示すように、断熱材５１ａを鋼板５１ｂ、５１ｃで挟み込んだ金属サンドイッチパネルである。２枚の外壁面材５１を上下に並べた場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように組み合わされる。
【００２２】
図３に示すように、地組架台１を用いることによって、上記複数の外壁面材５１を上下に並べて下地材５２で連結した外壁パネル５００（５）を、当該外壁パネル５００（５）が取り付けられる建物の躯体７の外壁取付箇所とは異なる場所で組み立てることができる。
【００２３】
上記地組架台１は、上記外壁面材５１の側面側に位置する支柱部１１Ａと、上記外壁面材５１の後面側となる位置に配置された奥側支柱部１１Ｂと、上記支柱部１１Ａ、１１Ｂの下側と中側と上側とにそれぞれ掛け渡される３本の梁部１２と、それらを支持する柱１１Ｃとを備える。
【００２４】
例えば、上記支柱部１１Ａの下部側は、下側の梁部１２の上面上に固定されており、上記支柱部１１Ａの中央側および上部側は、中側と上側の梁部１２の前面側にスペーサを介してそれぞれ固定されている。中側と上側の梁部１２は、上記縦胴縁５２ａの後面側に設けられる。また、上記奥側支柱部１１Ｂの下端は、下側の梁部１２の上面上に固定され、上記奥側支柱部１１Ｂの中央部および上部は、中側と上側の梁部１２の前面側に固定されている。
【００２５】
上段に位置する上記梁部１２および中段に位置する上記梁部１２上には、上記縦胴縁５２ａを保持する下地材保持具２が固定されている。なお、下段に位置する上記梁部１２には、上記縦胴縁５２ａが差し込まれる位置決め凸部或いは上記縦胴縁５２ａの側面が当接される位置決め板部が設けられる。
【００２６】
作業者は、上記縦胴縁５２ａをセットした後に、外壁面材５１をセットし、このセットした上記外壁面材５１の上端部側にビス等をねじ込み、上記外壁面材５１を先にセットした上記縦胴縁５２ａに固定する。この作業を繰り返すことで外壁パネル５００（５）が作製される。
【００２７】
また、図４に示すように、上記地組架台１を用い、開口設備４を取り付けるための開口枠部を有する外壁パネル５を組み立てる。また、後述するスタータ部材５７を取り付けておく。ただし、この例では、上記開口設備４を地組架台１上で外壁パネル５に取り付けることはしない。上記開口枠部を有する外壁パネル５を組み立てた後に、この外壁パネル５を上記地組架台１から取り外すとともにクレーン等によって吊り上げ、さらに、図５に示すように、この外壁パネル５を、建物の躯体７の床梁７１、耐風梁７２、床等に、Ｌアングル、取付ボルト、固定ボルト等を用いて取り付ける。
【００２８】
上記開口設備４としては、アルミサッシ、ガラリ、換気扇、スチールドア等がある。上記開口設備４を外壁パネル５に対して固定するために、上記開口設備４から最も近い左右の縦胴縁間を横断するように上記開口設備４の上下において横胴縁５４を設けている。すなわち、この例では、外壁パネル５は、開口が形成される箇所に、開口枠部として上辺側および下辺側に横胴縁５４を設けた構造を有している。そして、上記の上辺側に位置する横胴縁５４に、この実施形態のスタータ部材５７が取り付けられる。また、図１４に示すように、上記スタータ部材５７を横胴縁５４の屋外側面に取り付けた後に、その上方から上記外壁面材５１の下端を上記スタータ部材５７上に差し込むようにしている。
【００２９】
上記スタータ部材５７は、図１２に示すように、上記の上辺側に位置する横胴縁５４に取り付けられる縦板状の取付部５７ａと、上記開口の上辺側に下端を位置させる外壁面材５１の当該下端(外側の凹部５１ｄ)に係合して面外方向の移動を規制する略逆Ｕ字状の係合部５７ｂと、裏当て部５７ｃと、を備えている。上記裏当て部５７ｃは、図９（Ｂ）に示すように、開口に取り付けられた開口設備４の上辺部と上記外壁面材５１の上記下端との間に形成される横目地に充填されるシール材５８の裏当て(裏支え)となるものである。
【００３０】
また、上記スタータ部材５７は、上記取付部５７ａおよび上記係合部５７ｂが形成された第１板部５７１と、上記裏当て部５７ｃが形成された第２板部５７２とを備える。これら第１板部５７１および第２板部５７２はそれぞれ水平板部を備えており、これら水平板部同士をカシメ等により接合されて一体化されている。
【００３１】
上記外壁パネル５を上記のようにクレーン等で吊り上げて建物の躯体７に取り付けた後、上記開口設備４を建物の屋内側から取り付ける。一例として、図６（Ａ）、（Ｂ）、（Ｃ）および図７に示すように、上記横胴縁５４と、この端面が突き当たる箇所の縦胴縁５２ａとで形成される各内角部には、例えば、Ｌ字形状を有するいわゆるネコ金物５５が配置され、ボルト等をねじ込むことで、上記横胴縁５４と上記縦胴縁５２ａとが相互に枠状に固定されている。
【００３２】
上記開口設備４は、例えば、鋼材からなる方形状の下地枠４１に固定される。上記下地枠４１は上下に配置された横枠材４１ａおよび左右に配置された縦枠材４１ｂからなり、これらも例えばネコ金物によって相互に固定されている。そして、例えば、図６（Ａ）に示すように、右側の縦胴縁５２ｃは、上下の横胴縁５４にネコ金物５６によって固定されている。一方、左側の縦胴縁５２ｃも、例えば、上下の横胴縁５４にネコ金物５６によって固定されている。
【００３３】
なお、図６（Ａ）において仮想線で示すように、上記下地枠４１の上側の横枠材４１ａに、上方に突出するボルト部４２を設けるとともに、上記下地枠４１の下側の横枠材４１ａに下上方向に突出するボルト部４２を設けてもよい。そして、上記ボルト部４２を上下の横胴縁５４に挿通してナットを螺合することにより、上記下地枠４１を上下の横胴縁５４の中間部に固定するようにしてもよい。これによれば、上記横枠材４１ａの中間部も上記横胴縁５４に固定して、固定強度を向上させることができる。
【００３４】
また、図８に示すように、上記建物の躯体７に取り付けられた複数枚の上記外壁パネル５，５の縦方向に渡って開口設備用の開口が形成され、上記開口に対して屋内側から開口設備４を取り付けるようにしてもよい。これによれば、地組架台１上では取り付けが容易でない複数のパネルに跨る大型の開口設備４の取り付けも容易に行えるようになる。
【００３５】
図９（Ａ）、図９（Ｂ）は、上記外壁パネル５，５およびその縦方向に渡って配置される開口設備の４の縦断面の概略を示している。同様に、図１０（Ａ）および図１０（Ｂ）は、上記外壁パネル５，５およびその縦方向に渡って配置される開口設備の４の横断面の概略を示している。上記開口設備４が設けられる開口を含む領域の下側に開口枠部の一部となる横胴縁５４を、下側の外壁パネル５に取り付け、上記開口設備４が設けられる開口を含む領域の上側に開口枠部の一部となる横胴縁５４は、上側の外壁パネル５に取り付ける。また、上記開口設備４の上記外壁パネル５への固定は、例えば、上記下地枠４１における縦枠材４１ｂを、縦胴縁５２ｃに固定することで行う。上記縦胴縁５２ｃは、上記縦胴縁５２ａ，５３ｂとは別途設けたものであり、上記縦胴縁５２ｃと上記横胴縁５４とで、上記下地枠４１の四周を囲むように構成される。
【００３６】
また、図１１に示すように、上記開口設備４は、複数の外壁パネル５の横方向に渡って配置されるようにしてもよいものである。なお、外壁パネル５の一時的な補強のために、吊り上げ時補強用の縦胴縁５２ｄを外壁パネル５に着脱可能に固定しておいてもよいものである。
【００３７】
上記スタータ部材５７を備えると、複数の外壁面材５１を上下に並べて下地材で連結してなる外壁パネル５に開口設備４を組み込むことにおいて、上記開口設備４とは別に上記スタータ部材５７単独で横胴縁５４に取り付けることができる。これにより、上記開口設備４の取り付けに際してその位置調節を単独で行うことができる。
【００３８】
上記スタータ部材５７において、上記取付部５７ａおよび上記係合部５７ｂが形成された第１板部５７１と、上記裏当て部５７ｃが形成された第２板部５７２とが接合される構成であると、スタータ部材５７の作製が効率的に行える。なお、このような二枚構造に限らず、図１３に示すように、１枚板からなるスタータ部材５７Ａとすることもできる。このスタータ部材５７Ａは、上辺側に位置する横胴縁５４の下面に固定することができる片部５７ｄを備えている。
【００３９】
また、上記外壁パネル５からなる外壁についても、複数の外壁面材５１を上下に並べて下地材で連結してなる外壁パネル５に開口設備４を組み込むことにおいて、上記開口設備４とは別に上記スタータ部材５７単独で横胴縁５４に取り付けることができる。これにより、上記開口設備４の取り付けに際してその位置調節を単独で行うことができる。また、外壁施工方法についても、上記開口に上記開口設備４を取り付ける以前に、上記スタータ部材５７を上記横胴縁５４に取り付けることとしており、上記と同様、開口設備４の取り付けを迅速に行うことができる。
【００４０】
また、この例における外壁施工方法では、開口設備４が未装着とされる外壁パネル５を上記地組架台１上で組み立てるとともに上記スタータ部材５７を上記横胴縁５４に取り付ける工程と、上記開口設備４が未装着の外壁パネル５を屋外側から建物の躯体に取り付ける工程と、上記建物の躯体に取り付けられた上記外壁パネル５に屋内側から下地枠４１付きの開口設備４を取り付ける工程と、を含むようにしており、これにより、地組架台１上で外壁パネル５に開口設備４を取り付ける作業を不要にし、地組架台１上での外壁パネル５の作製の占有時間を短くできるようにしている。
【００４１】
ただし、外壁施工方法は、上記のような方法に限らない、上記地組架台上１において上記スタータ部材５７および上記開口設備４を組み付けて外壁パネルを作製するようにしてもよい。この場合でも、上記開口設備４の組み込みに際してその位置調節が行われても、既に取り付けてある上記スタータ部材５７には影響しないので、当該開口設備４の取り付けを迅速に行うことができる。
【００４２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４３】
１        ：地組架台
２        ：下地材保持具
４        ：開口設備
５        ：外壁パネル
７        ：躯体
１１Ａ    ：支柱部
１１Ｂ    ：奥側支柱部
１１Ｃ    ：柱
１２      ：梁部
４１      ：下地枠
４１ａ    ：横枠材
４１ｂ    ：縦枠材
４２      ：ボルト部
５１      ：外壁面材
５１ａ    ：断熱材
５１ｂ    ：鋼板
５１ｃ    ：鋼板
５１ｄ    ：凹部
５１ｅ    ：凸部
５２      ：下地材
５２ａ    ：縦胴縁
５２ｃ    ：縦胴縁
５２ｄ    ：縦胴縁
５３ｂ    ：縦胴縁
５４      ：横胴縁
５５      ：ネコ金物
５６      ：ネコ金物
５７      ：スタータ部材
５７Ａ    ：スタータ部材
５７ａ    ：取付部
５７ｂ    ：係合部
５７ｃ    ：裏当て部
５７ｄ    ：片部
５８      ：シール材
７１      ：床梁
７２      ：耐風梁
５００    ：外壁パネル
５７１    ：第１板部
５７２    ：第２板部
【図１】
2020002668.tif 000003
【図２】
2020002668.tif 000004
【図３】
2020002668.tif 000005
【図４】
2020002668.tif 000006
【図５】
2020002668.tif 000007
【図６】
2020002668.tif 000008
【図７】
2020002668.tif 000009
【図８】
2020002668.tif 000010
【図９】
2020002668.tif 000011
【図１０】
2020002668.tif 000012
【図１１】
2020002668.tif 000013
【図１２】
2020002668.tif 000014
【図１３】
2020002668.tif 000015
【図１４】
2020002668.tif 000016
【図１５】
2020002668.tif 000017